(57)【特許請求の範囲】
【請求項１】
筒状のニップル軸の一端側外周に、機器の取付部に螺合するネジ部を外周面に有するナット体を回動自在に嵌合し、該ナット体と前記ニップル軸との間に環状のシール部材を配置したスイベル継手において、前記ナット体より他端側の前記ニップル軸の外周面にネジ部を形成し、該ネジ部に前記ナット体を押圧可能な止めナットを螺合し、該ナット体を押圧する止めナットを介して前記ニップル軸を前記ナット体に固定可能にし、前記止めナットを介して前記ニップル軸を前記ナット体に固定することにより、前記回動を阻止可能にしたスイベル継手。
【請求項２】
前記ニップル軸外周面のネジ部を前記ナット体に隣接して設け、該ネジ部が位置するニップル軸の径を前記ナット体が嵌合するニップル軸の径より大きくした請求項１に記載のスイベル継手。
【請求項３】
前記ナット体より一端側の前記ニップル軸の外周に、嵌合するナット体が離脱するのを防ぐ止めリングを装着した請求項１または２に記載のスイベル継手。
【請求項４】
前記ニップル軸外周面のネジ部より他端側のニップル軸の径を該ネジ部が位置するニップル軸の径より大きくし、かつ外周面を多角形状にした請求項１，２または３に記載のスイベル継手。
【発明の詳細な説明】
【０００１】
【発明の属する技術分野】
本発明は、各種機器に対してパイプや各種ホースを接続するためのスイベル継手に関し、更に詳しくは、ニップル軸のガタツキや回動が原因で生じるシール漏れを防ぐようにしたスイベル継手に関する。
【０００２】
【従来の技術】
金属ホース、油圧ホース、合成樹脂ホースなどの各種ホースやパイプ（以下、ホース等という）を各種機器に接続するのにスイベル継手が用いられている。このようなスイベル継手は、図３に示すように、ニップル軸３１の一端側外周に、機器Ｍの取付部Ｍ１に螺合するネジ部３２を外周面に有するナット体３３を回動自在に嵌合した構成になっている。ニップル軸３１の他端側には、ホース等が固定されるようになっている。
【０００３】
上記のようなスイベル継手は、機器Ｍに取り付けられるナット体３３がニップル軸３１に回動自在であるため、ホースなどを捩じれることなく機器Ｍに装着することができるという利点がある。しかし、その反面、ナット体３３とニップル軸３１との間にナット体３３の回動を許容するためのクリアランスが存在するため、振動を伴うような機器に接続すると、その振動によりガタツキが発生するので、ナット体３３の内周面側に配置したＯリング３４のシール作用が阻害され、シール漏れを招くという問題があった。
【０００４】
また、動きのある配管に用いられたホース等を接続した場合には、ニップル軸３１が頻繁に回動するため、Ｏリング３４が早期に磨耗してシール漏れを起こすという問題があった。更に、ニップル軸３１にそれと交差する方向に延びるホース等を接続する、所謂エルボ配管のような場合には、ニップル軸３１が機器Ｍに固定されたナット体３３に対して回動してしまうため、接続されたホース等が固定できないという問題があった。
【０００５】
【発明が解決しようとする課題】
本発明の目的は、ニップル軸のガタツキや回動に起因するシール漏れを防止することができ、かつエルボ配管におけるホース等の固定が可能なスイベル継手を提供することにある。
【０００６】
【課題を解決するための手段】
上記目的を達成する本発明は、筒状のニップル軸の一端側外周に、機器の取付部に螺合するネジ部を外周面に有するナット体を回動自在に嵌合し、該ナット体と前記ニップル軸との間に環状のシール部材を配置したスイベル継手において、前記ナット体より他端側の前記ニップル軸の外周面にネジ部を形成し、該ネジ部に前記ナット体を押圧可能な止めナットを螺合し、該ナット体を押圧する止めナットを介して前記ニップル軸を前記ナット体に固定可能にし、前記止めナットを介して前記ニップル軸を前記ナット体に固定することにより、前記回動を阻止可能にしたことを特徴とする。
【０００７】
このようにニップル軸外周面のネジ部にナット体を押圧する止めナットを螺合したので、機器の取付部にナット体を取り付けた後、止めナットをナット体を押圧するように螺子込むことで、ナット体に止めナットを固定させ、それによりニップル軸を止めナットを介してナット体に固定することができる。
【０００８】
その結果、ニップル軸とナット体の間にナット体の回動を許容するためのクリアランスがあっても、ニップル軸は止めナットを介してナット体に固定されるので、振動を伴うような機器と接続してもニップル軸にガタツキを招くことがない。また、動きのある配管に用いられたホース等を接続した場合であっても、ニップル軸がナット体に固定されているので回動することがない。従って、ニップル軸のガタツキや回動が原因で生じるシール部材のシール漏れの防止が可能になる。また、エルボ配管におけるホース等の固定も可能になる。
【０００９】
【発明の実施の形態】
以下、本発明の構成について添付の図面を参照しながら詳細に説明する。
【００１０】
図１は、本発明のスイベル継手の一例を示し、１はホース等Ｈを接続するニップル軸、２はスイベル継手を機器Ｍの取付部Ｍ１に装着するためのナット体、３はニップル軸１とナット体２とを固定状態にするための止めナットである。
【００１１】
ニップル軸１は、円筒状に形成され、内周側が流体の通路４になっている。ニップル軸１の外周面は、一端側から他端側に向けて階段状に拡径する構造になっており、外径が最も小さい一端側部５の外周側にナット体２が取り付けられている。一端側部５の外周面５ａの更に一端側には、ナット体２の離脱を防止する止めリング２０を着脱自在に装着するための環状溝２１が、外周面５ａの周方向に沿って設けられている。
【００１２】
一端側部５に続く中間部６は、一端側部５より外径が大きく、その外周面６ａにネジ部１９が形成され、そのネジ部１９に止めナット３が取り付けられている。
【００１３】
中間部６より他端側の他端側部７は、その外径が中間部６の外径より更に大きくなっている。その外周面７ａは多角形状（図では６角形状）に形成され、工具で把持するのを容易にしている。他端側部７の内周側にホース等Ｈが溶接などにより固着されるようになっている。
【００１４】
ナット体２は、機器Ｍの取付部Ｍ１に螺合するネジ部９を外周面に有する円筒部１０と、その他端側に一体的に連接されて外周側に突出する環状の鍔部１１とから構成され、ニップル軸１の一端側部５に回動自在に嵌合している。弾性を有するＣ字状の止めリング２０が環状溝２１に装着され、ナット体２は一端側部５に係止されている。鍔部１１の外周面１１ａは多角形状（図では６角形状）に形成され、工具で把持するのを容易にしている。
【００１５】
ナット体２の内周面２ａには、周方向に沿って環状溝２２が形成され、その環状溝２２にナット体２とニップル軸１との間をシールする環状のシール部材２３を配設している。円筒部１０の他端側外周面には、周方向に沿って環状溝２４が形成され、その環状溝２４にナット体２と機器Ｍとの間をシールする環状のシール部材２５が設けられている。
【００１６】
止めナット３は、ナット体２より他端側に隣接する中間部６のネジ部１９に螺合しており、止めナット３を図１の左右に移動させることによりナット体２の鍔部１１を押圧かつ離間可能になっている。この止めナット３は、その外周面がナット体２や他端側部７と同様に、多角形状（図では６角形状）に形成されている。
【００１７】
上記スイベル継手は、ニップル軸１の一端側から止めナット３を中間部６のネジ部１９に螺嵌させ、次いで環状のシール部材２３，２５を環状溝２２，２４に装着したナット体２を一端側部５に嵌挿し、最後に環状溝２１に止めリング２０を装着することにより容易に組み立てられ、また逆の方法で容易に分解されるようになっている。
【００１８】
上述したスイベル継手によれば、ナット体２より他端側のニップル軸１の中間部外周面６ａにネジ部１９を形成し、そのネジ部１９にナット体２を押圧可能な止めナット３を螺合したので、機器Ｍの取付部Ｍ１にナット体２を螺嵌した後、止めナット３を図１の左方向に移動させ、ナット体２を止めナット３により押圧してナット体２に止めナット３を固定することにより、ニップル軸１が機器Ｍに固定されたナット体２に固定される。
【００１９】
そのため、ニップル軸１とナット体２の間にナット体２の回動を可能にするためのクリアランスがあっても、ニップル軸１は止めナット３を介してナット体２に固定されるので、振動を伴うような機器に接続しても、ニップル軸１にガタツキが発生することがない。また、動きのある配管に用いられたホース等を接続した場合であっても、ニップル軸１がナット体２に固定されているので回動することがない。従って、ニップル軸１のガタツキや回動に起因するシール部材２３のシール漏れを防止することができる。
【００２０】
図２は、本発明のスイベル継手の他の例を示し、上記実施形態において、ホース等Ｈが固設されるニップル軸１の他端側部７下方に流体の通路４の開口４ａを形成し、ニップル軸１に対して直交する方向に延びるホース等Ｈを接続する、所謂エルボ配管に用いられるスイベル継手になっている。
【００２１】
このようなスイベル継手であっても、止めナット３によりニップル軸１をナット体２に固定できるため、上述した効果に加えて、エルボ配管におけるホース等Ｈの固定を確実に行うことができる。
【００２２】
本発明において、上記実施形態では、ニップル軸１からナット体２が離脱するのを防止するために止めリング２０を用いたが、図３の従来技術に示すように、ニップル軸の一端部を拡開してナット体の一端側に係合させるようにした構成であってもよく、本発明は、ニップル軸１の一端側外周に、機器Ｍの取付部Ｍ１に螺合するネジ部９を外周面に有するナット体２を回動自在に嵌合し、ナット体２とニップル軸１との間に環状のシール部材２３を配置したスイベル継手であれは、いずれの継手にも好適に用いることができる。
【００２３】
【発明の効果】
上述したように本発明のスイベル継手は、ナット体より他端側のニップル軸の外周面にネジ部を形成し、該ネジ部にナット体を押圧可能な止めナットを螺合したので、止めナットによりニップル軸を機器の取付部に固定されるナット体に固定することができるため、ニップル軸のガタツキや回動に起因するシール漏れを防止することができ、かつエルボ配管におけるホース等の固定が可能になる。
【図面の簡単な説明】
【図１】本発明のスイベル継手の一例を中心線より上側を断面にして示す正面図である。
【図２】本発明のスイベル継手の他の例を中心線より上側及び右側を断面にして示す正面図である。
【図３】従来のスイベル継手の一例を中心線より上側を断面にして示す正面図である。
【符号の説明】
１  ニップル軸                  ２  ナット体
３  止めナット                  ５  一端側部
６  中間部                      ６ａ  外周面
７  他端側部                    ７ａ  外周面
９  ネジ部                      １９  ネジ部
２０  止めリング                ２３  シール部材
Ｈ  ホース等                    Ｍ  機器
Ｍ１  取付部
【図１】
0003652292.tif 000002
【図２】
0003652292.tif 000003
【図３】
0003652292.tif 000004